(57)【要約】【課題】本考案は、美粧段ボールとしての意匠性を高めて独特の視認性を持つことで、偽造防止にも対応できることを目的としている。【解決手段】印刷層を設け、更にオーバープリントニス層を設けてなるプレプリントライナーを使用した段ボールにおいて、プレプリントライナーに万線状のエンボス加工を施す。この万線状のエンボス加工が横万線と縦万線からなり、市松模様状に交互に配置することにより、ベタ印刷部と文字等の図柄印刷部でのオーバープリントニス部との光沢度差により特異な視覚効果が得られる。また、万線状の凹凸により、段ボール箱の荷扱い易さ等の改善にも繋がった。【選択図】図１
0003137585.tif 000002
【実用新案登録請求の範囲】
【請求項１】
印刷層を設け、更にオーバープリントニス層を設けてなるプレプリントライナーを使用した段ボールにおいて、
該プレプリントライナーに万線状のエンボス加工を施したことを特徴とするエンボス段ボール。
【請求項２】
前記万線状のエンボス加工が横万線群と縦万線群からなり、市松模様状に交互に配置されたことを特徴とする請求項１に記載のエンボス段ボール。
【請求項３】
縦万線群と横万線群のピッチが０．１〜１．０ｍｍであることを特徴とする請求項１または２に記載のエンボス段ボール。
【請求項４】
印刷層がベタ印刷層と文字、数字またはロゴマーク等の図柄印刷層からなり、該図柄印刷層の上にオーバープリントニス層を設けてなるプレプリントライナーに万線状のエンボス加工を施したエンボス段ボールにおいて、
ベタ印刷層の７５度光沢度が５〜２０％、オーバープリントニス層の７５度光沢度が２５〜４５％であることを特徴とする請求項１〜３のいずれかに記載のエンボス段ボール。
【請求項５】
印刷層を設け、更にオーバープリントニス層を設けてなるプレプリントライナーを使用した段ボールにおいて、
該プレプリントライナーに縦万線群と横万線群からなり、市松模様状に交互に配置したエンボス加工を施し、偽造防止としたことを特徴とするエンボス段ボール。
【考案の詳細な説明】
【技術分野】
【０００１】
本考案は、ライナー基材の上に、図柄印刷層を設け、更にオーバープリントニス層を設けてなるプレプリントライナーを使用した段ボールに関する。さらに詳しくは、プレプリントライナーにエンボス加工を施すことにより、段ボールの意匠性を高め、偽造防止を図ると共に段ボールの荷扱い易さという機能性を高めた段ボールに関する。
【背景技術】
【０００２】
従来から、ライナー基材の上に、印刷層を設け、更にオーバープリントニス層を設けてなるプレプリントライナーを使用した段ボールは高級なイメージを表現できることから、美粧段ボールとして、店頭展示効果が求められる製品の段ボール包装として拡大している。
【０００３】
このプレプリント印刷方式は、特に、ビール缶の包装に使用するラップアラウンドケースのフレキソ印刷に広く採用され、ビール各社とも自社製品のアピール手段となっている。しかし、店頭展示効果、また、荷扱い易さの更なる向上が求められている。このために印刷面に防滑ニスを多く塗布することがあるが、複雑な反りが発生する問題がある（例えば、特許文献１参照）。
【０００４】
また、例えば高級清酒やウイスキーあるいは菓子類などの紙箱として、その側壁面にエンボス加工で模様状の微細な凹凸を施し、その紙箱の商品価値を高めたエンボス加飾紙が知られ、さらにそれを美麗化するため、紙素材の表面にアルミニウム箔などで金属光沢を施し、それに印刷とエンボス加工で模様状の微細な凹凸とが見当があった状態で施されたものがある（例えば、特許文献２参照）。
【０００５】
【特許文献１】特開２００２−２９２７６４号公報
【特許文献２】特開平６−３４４６４９号公報
【考案の開示】
【考案が解決しようとする課題】
【０００６】
従来より、ビール缶の包装に使用するラップアラウンドケースの主流となっている印刷はフレキソインキを使用したプレプリント方式である。この印刷は美粧性に優れるものの、荷扱い易さのために多量の防滑ニスを塗布すると複雑な反りを発生する恐れがある。
一方、印刷の美粧性はさらに要求が高くなり、印刷する基材にこれまでの茶色の一般ライナーを使用して、より視覚効果が高い美粧段ボールを得ることを課題とした。
【０００７】
本考案は、前記従来の問題に鑑みなされたもので、美粧段ボールとしての意匠性を高めて独特の視認性をもつことで、偽造防止にも対応できること、荷扱い易さを向上することを目的としている。
【課題を解決するための手段】
【０００８】
本考案は、上記課題を解決するために以下の（１）〜（５）の構成を採る。
（１）印刷層を設け、更にオーバープリントニス層を設けてなるプレプリントライナーを使用した段ボールにおいて、
該プレプリントライナーに万線状のエンボス加工を施したことを特徴とするエンボス段ボールである。
【０００９】
（２）前記万線状のエンボス加工が横万線群と縦万線群からなり、市松模様状に交互に配置されたことを特徴とする（１）項に記載のエンボス段ボールである。
【００１０】
（３）縦万線群と横万線群のピッチが０．１〜１．０ｍｍであることを特徴とするまた（１）項または（２）項に記載のエンボス段ボールである。
【００１１】
（４）印刷層がベタ印刷層と文字、数字またはロゴマーク等の図柄印刷層からなり、該図柄印刷層の上にオーバープリントニス層を設けてなるプレプリントライナーに万線状のエンボス加工を施したエンボス段ボールにおいて、
ベタ印刷層の７５度光沢度が５〜２０％、オーバープリントニス層の７５度光沢度が２５〜４５％であることを特徴とする（１）〜（３）項のいずれかに記載のエンボス段ボールである。
【００１２】
（５）印刷層を設け、更にオーバープリントニス層を設けてなるプレプリントライナーを使用した段ボールにおいて、
該プレプリントライナーに縦万線群と横万線群からなり、市松模様状に交互に配置したエンボス加工を施し、偽造防止としたことを特徴とするエンボス段ボールである。
【考案の効果】
【００１３】
本考案によれば、プレプリントライナーに万線状のエンボス加工を施すこと、即ち縦万線群と横万線群を市松模様状に交互に配置することにより、ベタ印刷部と文字等の印刷部でオーバープリントニス部との光沢度差によって、特異な視覚効果が得られ、偽造防止にも効果がある。
また、エンボス加工を施すことにより、即ち、箱表面の万線状の凹凸により、段ボールの荷扱いの改善にも繋がった。
【考案を実施するための最良の形態】
【００１４】
本考案のエンボス段ボールについて説明する。
本考案が対象とする段ボールとは、茶色の一般ライナーにプレプリントを施した美粧段ボールの意匠性をさらに高めた贈答用の段ボールである。
【００１５】
一般に、プレプリント印刷により、美粧段ボールが製造されているが、茶色の一般ライナーを印刷基材に用いた場合には美粧性や印刷効果が十分でないことがある。そこで、印刷基材に白ライナーやコート白ボール等が用いられることがあるが、インキ乾燥性の悪化やコストアップの問題があり、コスト的に有利な茶色の一般ライナーを使用して美粧性と印刷効果の向上が求められている。
【００１６】
本考案は、茶色の一般ライナーにプレプリント印刷した後、万線状のエンボス加工を施して、更にコルゲータにて貼合して贈答用の美粧段ボールとして供される。
プレプリント印刷は、グラビア印刷機でも可能であるが、広幅、比較的低コストの条件を満たすとなると水性インキをもちいたフレキソ印刷が好ましい。
ここで、フレキソプレプリント印刷は、印刷色数５〜６色から最大９色まで可能である。
例えば、茶色の一般ライナーに白ベタ印刷を施した上に図柄印刷を行うことで、上刷り印刷の図柄を引き立たせることが可能である。
【００１７】
本考案は、茶色の一般ライナーに、印刷層を設け、更にオーバープリントニス層を設けてなるプレプリントライナーに万線状のエンボス加工を施す。
この万線状のエンボス加工が横万線群と縦万線群からなり、市松模様状に交互に配置される。
ここで、万線とは無数の直線からなり、直線は等間隔に平行に配置されたものをいう。また、横万線と縦万線とは水平の万線状凹凸と垂直の万線状凹凸のことで、視認のし易さから９０°回転した角度が好ましい。
横万線群と縦万線群のピッチは０．１〜１．０ｍｍであることが好ましい。万線状の凹凸のピッチが０．１ｍｍに満たないと斜めにしても万線状凹凸の影が見えなくなり、１ｍｍを越えると凹凸の深さにもよるが通常の状態でも視認が可能となるので偽造防止策としては好ましくない。なお、万線状の凹凸のピッチと深さの関係は、ピッチ／深さ≒１０が一般的である。
更に、横万線と縦万線のピッチは同じでもよいが、僅かに差を設けたほうが縦横比による視覚効果が上がる。
また、横万線群と縦万線群からなる市松模様は、特に大きさに制限は無いが、３〜１０ｍｍ角が好ましい。より好ましくは約６ｍｍ角の市松模様の視覚効果が大きい。
【００１８】
本考案では、印刷層がベタ印刷層と文字、数字またはロゴマーク等の図柄印刷層からなり、該図柄印刷層の上にオーバープリントニス層を設けてなるプレプリントライナーに万線状のエンボス加工を施す。
エンボス加工が施されたベタ印刷層の７５度光沢度が５〜２０％、エンボス加工が施されたオーバープリントニス層の７５度光沢度が２５〜４５％となる。
エンボス加工により、ベタ印刷層の７５度光沢度は低く、マット調に仕上がるのに対し、オーバープリントニス層の７５度光沢度はダル調に仕上がる。この両者の光沢度の違いと斜めから見たときの万線状の光沢感により、特異な視覚効果が得られ、意匠性に優れるとともに偽造防止にも役立つ。
なお、ベタ印刷部にマットニスを印刷することにより、マット性を高め、オーバープリントニス層のダル調と際立たせることもできる。
図１に本考案の印刷物の一実施形態の模式図を示す。
【００１９】
本考案のエンボス段ボールは万線状の凹凸により、荷役時に持ちやすく、運搬時の荷崩れ防止となる。
【００２０】
本考案の万線状エンボス加工は、プレプリント印刷後、コルゲータでの貼合の前にプレプリント印刷面に施される。
具体的には、所望する万線状エンボスパターンを彫刻した彫刻ロールを用い、ロールエンボス機にて圧熱処理を行う。このロールエンボス機はプレプリント印刷機の最終工程、またはコルゲータの繰り出し工程に設けたりしてもよい。また、オフラインの別な操作、例えば、巻き戻し操作と組み合わせて用いても良い。なお、万線状エンボス加工は、プレプリント印刷面に施すので、プレプリント印刷のラインマークに合わせて、図柄印刷と同調することも出来る。
【実施例】
【００２１】
以下、本発明を実施例に従って説明する。
【００２２】
＜実施例１＞
プレプリント印刷の基材として王子板紙ＯＦＣ１８０ライナーを準備し、その基材の表面に、プレプリントフレキソ印刷を行った。
プレプリント印刷では、１色目に白インキ（サカタインクス製白）にてベタ印刷を行い、更に紺インキ（サカタインクス製紺）にてベタ印刷および金インキ（サカタインクス製  金）にて文字印刷を行った。続いて、紺ベタ印刷部にマットニス（サカタインクス製マットニス）にて印刷を行い、更に印刷機の最終胴にて、文字印刷部分にオーバープリントニス（東洋インキ製造製ＵＶクリアーインキ）を印刷し、直ちに紫外線照射を行い、プレプリントライナーを得た。
得られたプレプリントライナーを巻き戻し装置に設置したロールエンボス機にて横万線群と縦万線群からなる市松模様状のエンボス圧熱処理を行った。この時の市松模様は６ｍｍ角で、横万線群のピッチは０．３ｍｍで深さは４０μｍ、縦万線群のピッチは０．４ｍｍで深さは４０μｍである。
得られたエンボスライナーの紺ベタ印刷部の７５°光沢度（ＪＩＳ  Ｐ  ８１４２）は１２％、金文字印刷でオーバーコートニス部の７５°光沢度は３２％であった。
次に、コルゲータにて、上記エンボスライナーを表側ライナーに使用し、裏側ライナー［王子板紙ＡＢＭ１７０］及び中芯［王子板紙中芯１２５］を使用してＢフルートの段ボールシートを作成した。続いて、上記段ボールシートを製函機で打ち抜き、ラップアラウンド形式の段ボールを作成した。
得られた段ボールを積み上げたところ、荷扱いしやすいものであった。
これらの評価結果を表１に示す。
【００２３】
＜比較例１＞
実施例１において、プレプリントライナーにエンボス加工を施さなかったこと以外は、すべて実施例１と同様に行った。
【００２４】
＜実施例２＞
実施例１において、プレプリント印刷で紺のベタ印刷部にマットニスにて印刷を行わないこと以外は、すべて実施例１と同様に行った。
【００２５】
＜比較例２＞
実施例１において、プレプリント印刷で文字印刷部にオーバープリントニスを印刷しなかったこと以外は、すべて実施例１と同様に行った。
【００２６】
＜比較例３＞
実施例１において、万線状のエンボスの替わりに網点状のエンボスに変更した以外は、すべて実施例１と同様に行った。
【００２７】
【表１】
0003137585.tif 000003
【００２８】
表１に示した結果から明らかなように、実施例においては、万線状のエンボス加工を施すことにより、特異な視覚効果が得られる。また、荷扱い易いという特徴がある。
比較例においては、意匠性に乏しい。
【産業上の利用可能性】
【００２９】
本考案のエンボス段ボールは、特異な視覚効果が得られ、偽造防止にも利用できる。更に、ビール缶等のほか、電気製品の包装材料といった高級な贈答用段ボールに利用できる。
【図面の簡単な説明】
【００３０】
【図１】本考案のエンボスライナーの模式図を示す。
【符号の説明】
【００３１】
１：オーバーコートＯＰニス
２：文字等の図柄
３：横万線
４：縦万線
【図１】
0003137585.tif 000004